(57)【特許請求の範囲】
【請求項１】
浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定すると共に、設定保温温度値Ｆの設定後最初に測定された温度低下度合いＤを初期値Ｄ１とし、温度低下度合いの差｜Ｄ１−Ｄ｜が一定以上になるように温度低下度合いＤが増加した場合には、設定保温温度値Ｆを自動的に増加修正し、温度低下度合いの差｜Ｄ１−Ｄ｜が一定以上になるように温度低下度合いＤが減少した場合には、設定保温温度値Ｆを自動的に減少修正するようにしたコントローラを備えたことを特徴とする風呂の保温運転装置。
【請求項２】
浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定し、一方、各温度低下度合いＤに対応した調整温度値Ｃを予め定めておき、設定保温温度値Ｆの設定後最初に測定された温度低下度合いＤに対応する調整温度値Ｃから前記設定保温温度値Ｆに対する基準保温温度値ＫをＦ＝Ｋ＋Ｃで演算し、該基準保温温度値Ｋをその後の保温温度の修正の基準として、新たに設定保温温度値Ｆが設定されるまでは、前記演算された基準保温温度値Ｋと測定される温度低下度合いＤに対応する調整温度値Ｃとから修正保温温度値Ｆ１をＦ１＝Ｋ＋Ｃで自動的に修正して、その修正保温温度値Ｆ１になるように保温運転を行うようにしたコントローラを備えたことを特徴とする風呂の保温運転装置。
【請求項３】
設定保温温度値が自動的に修正された場合には、その自動修正による修正保温温度値をリモコンに表示するようにしたことを特徴とする請求項１又は２に記載の風呂の保温運転装置。
【発明の詳細な説明】
【０００１】
【発明の属する技術分野】
本発明は、風呂の保温運転装置に関する。
【０００２】
【従来の技術】
従来より、保温運転機能を備えた風呂装置が提供されている。このような風呂装置では、浴槽水を一旦設定温度に焚き上げた後になって、使用者が入浴しようとしたときに風呂温度が低下してしまっているといった不都合が無いように、一定のインターバル等で浴槽水を加熱し、風呂温度を一定の設定された保温温度に保持されるようになされている。
【０００３】
【発明が解決しようとする課題】
ところが、上記従来における風呂の保温装置において、一旦設定保温温度値が設定されても、季節（気温）によっては同じ保温温度であっても熱く感じたり、冷たく感じたりすることから、季節に応じて或いは環境温度に応じて、その都度、設定保温温度値を再設定して変更しなければならないという不都合があった。
【０００４】
そこで本発明は上記従来の装置の不都合を解消し、季節や環境温度の変化等によって、その都度使用者等が設定保温温度値を再設定して修正しなくても、自動的に季節やその他の環境温度の変化に応じて保温すべき温度値の修正を行うことができる風呂の保温運転装置の提供を課題とする。
【０００５】
【課題を解決するための手段】
上記課題を達成するため、本発明の風呂の保温運転装置は、浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定すると共に、設定保温温度値Ｆの設定後最初に測定された温度低下度合いＤを初期値Ｄ１とし、温度低下度合いの差｜Ｄ１−Ｄ｜が一定以上になるように温度低下度合いＤが増加した場合には、設定保温温度値Ｆを自動的に増加修正し、温度低下度合いの差｜Ｄ１−Ｄ｜が一定以上になるように温度低下度合いＤが減少した場合には、設定保温温度値Ｆを自動的に減少修正するようにしたコントローラを備えたことを第１の特徴としている。
また本発明の風呂の保温運転装置は、浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定し、一方、各温度低下度合いＤに対応した調整温度値Ｃを予め定めておき、設定保温温度値Ｆの設定後最初に測定された温度低下度合いＤに対応する調整温度値Ｃから前記設定保温温度値Ｆに対する基準保温温度値ＫをＦ＝Ｋ＋Ｃで演算し、該基準保温温度値Ｋをその後の保温温度の修正の基準として、新たに設定保温温度値Ｆが設定されるまでは、前記演算された基準保温温度値Ｋと測定される温度低下度合いＤに対応する調整温度値Ｃとから修正保温温度値Ｆ１をＦ１＝Ｋ＋Ｃで自動的に修正して、その修正保温温度値Ｆ１になるように保温運転を行うようにしたコントローラを備えたことを第２の特徴としている。
また本発明の風呂の保温運転装置は、上記第１又は第２の特徴に加えて、設定保温温度値が自動的に修正された場合には、その自動修正による修正保温温度値をリモコンに表示するようにしたことを第３の特徴としている。
【０００６】
上記第１の特徴によれば、使用者等によって設定動作が行われることで、風呂の設定保温温度値Ｆが一旦定められると、コントローラは、その時点における浴槽水の経時的な温度低下度合いＤ１を測定し、そしてその後においても同様に、保温運転時には浴槽水の経時的な温度低下の度合いＤを監視（測定）する。そして月日や季節等の経過に伴って前記浴槽水の温度低下度合いＤが、設定保温温度値Ｆを設定した時点での温度低下度合いＤ１と比較して、その変化、即ちその差（Ｄ１−Ｄ）が一定以上になった場合には、コントローラは、温度低下度合いＤが増加した場合には、設定保温温度値Ｆを自動的に増加修正し、また温度低下度合いＤが減少した場合には、設定保温温度値Ｆを自動的に減少修正する。
例えば夏に設定保温温度値Ｆを設定した場合に、季節が秋、冬に変わると、浴槽水の温度低下の度合いも大きく変わり（温度低下の度合いが大きくなる）、また入浴者にとっても保温温度に対する熱さの感覚が大きく変わる（通常、ぬるく感じる）。しかして浴槽水の温度低下の度合いが大きく変化すると、コントローラによって、設定保温温度値Ｆが前記変化に対応して自動的に修正されるので、使用者等に対してその都度設定保温温度値Ｆを再設定しなければならないという煩わしさを与えることなく、自動的に適切な修正保温温度値Ｆ１を提供することができる。
【０００７】
設定保温温度値Ｆの自動修正は、浴槽水の温度低下度合いＤの変化をとらえて行うので、単に暦上で保温温度値を修正、変更するものに比べても、よりその浴槽のある場所の環境、即ち緯度経度等や海抜等の地理的環境、その他の環境により即した状態で、保温されるべき温度値の自動修正を行うことができる。
前記温度低下度合いＤの変化が一定未満の場合は、現状維持により設定保温温度値Ｆのままとする。一方、変化が一定以上の場合において、温度低下の度合いＤが増加した場合には、コントローラは通常において設定保温温度値Ｆを増加修正して修正保温温度値Ｆ１を定め、また温度低下の度合いＤが減少した場合には、コントローラは通常において設定保温温度値Ｆを低下修正して修正保温温度値Ｆ１を定め、保温されるべき温度値が修正保温温度値Ｆ１となるように保温運転を行うことになる。
前記変化が一定以上という場合における一定については、予め実験等により適当な値を定めておく。またコントローラによる修正値を何度にするかについても、温度低下度合いＤの変化の大きさを考慮して、予め実験等により適当な値を定めておく。
【０００８】
上記第２の特徴によれば、使用者等によって一旦風呂の設定保温温度値Ｆが設定されると、設定保温温度値Ｆ＝基準保温温度値Ｋ＋調整温度値Ｃからその時の基準保温温度値Ｋが演算される。即ちコントローラは、その時点における浴槽水の経時的な温度低下の度合いＤから、温度低下度合いＤに対して予め定められている調整温度値Ｃを得て、この調整温度値Ｃと設定保温温度値Ｆとから基準保温温度値Ｋを演算する。この演算された基準保温温度値Ｋがその後の季節変化等に基づく保温温度の修正の基準となる。そしてその後、コントローラは浴槽水の経時的な温度低下度合いＤを監視し、その温度低下度合いＤに対応して予め定められている新たな調整温度値Ｃを採用し、この新たな調整温度値Ｃを基準保温温度値Ｋに和することで前記設定保温温度値Ｆを自動的に修正して、この修正保温温度値Ｆ１で保温を行う。本特徴では、例えば予め実験により、春と秋に対応するような浴槽水の温度低下の度合いに対応する調整温度値Ｃを０℃、夏に対応するような浴槽水の温度低下度合いに対応する調整温度値Ｃを−２℃、冬に対応するような浴槽水の温度低下度合いに対応する調整温度値Ｃを２℃に定めておくと、夏に設定保温温度値Ｆが使用者等によって設定された場合には、その時の設定保温温度値Ｆが例えば３７℃であれば、調整温度値Ｃが−２℃であるので、基準保温温度値Ｋは３９℃と演算される。従って、使用者等によって設定保温温度値Ｆが再設定されること無く季節が巡って秋になると、秋には浴槽水の温度低下度合いＤが夏に比べて大きくなり、且つ秋に対応するような浴槽水の温度低下度合いＤに対応する調整温度値Ｃが０℃と定められているので、基準保温温度値Ｋと調整温度値Ｃとの和が３９℃と演算される。即ち、保温されるべき温度値が修正保温温度値Ｆ１＝３９℃に自動修正されて、その修正保温温度値Ｆ１＝３９℃となるよう保温運転される。また冬になると、浴槽水の温度低下度合いＤが一層大きくなり、温度低下の度合いＤに対応する調整温度値Ｃが２℃と決められているので、基準保温温度値Ｋ（３９℃）と調整温度値Ｃとの和が４１℃となる。即ち、保温されるべき温度値が修正保温温度値Ｆ１＝４１℃に自動修正される。
本特徴によれば、使用者等によって一旦設定保温温度値Ｆが設定されると、対応した基準保温温度値Ｋが演算され、その後は使用者等において再設定を行わなくても、季節等の移り変わり等と共に、自動的に基準保温温度値Ｋを中心に調整温度値Ｃが変更され、保温されるべき温度値が修正されるので、使用者等を煩わすこと無く、１年中快適な風呂の保温を提供することができる。
【０００９】
また上記本発明の第３の特徴によれば、使用者等によって設定された設定保温温度値Ｆはリモコンに表示されるが、この設定保温温度値Ｆが修正保温温度値Ｆ１へと修正された場合には、その修正後の修正保温温度値Ｆ１がリモコンに表示される。よって入浴者等は何時も現時点での保温されるべき温度値を見て知ることができる。
【００１０】
【発明の実施の形態】
以下、本発明の実施の形態を図面を参照しながら説明する。
図１は本発明装置の一実施形態を示す風呂の全体構成図、図２は本発明装置の一実施形態による保温温度値修正の例を説明するフローチャート、図３は本発明装置の一実施形態による保温温度値修正のための基準保温温度値Ｋ演算の例を説明するフローチャート、図４は本発明装置の一実施形態による基準保温温度値Ｋから修正保温温度値Ｆ１を演算する例を説明する図である。
【００１１】
図１において、１０は浴槽で、２０は風呂釜である。風呂釜２０にはバーナを備えた熱交換器２１、循環ポンプ２２、水流スイッチ２３、風呂温度センサ２４、前記浴槽１０と熱交換器２１とを接続する循環路２５、風呂釜２０のコントローラ２６、リモコン２７等を少なくとも備えている。浴槽１０の焚き上げ及び焚き上げ後の保温運転は、コントローラ２６による制御に基づいて、循環ポンプ２２により浴槽水を循環路２５を介して熱交換器２１に循環させて加熱させる。循環ポンプ２２が駆動されることで循環路２５に水流が生じると、水流スイッチ２３がＯＮし、熱交換器２１のバーナの燃焼が開始され、浴槽水が循環加熱される。そして風呂温度センサ２４が所定の温度を検出することで、燃焼が停止され、循環が停止される。要するに、浴槽水の加熱を強制循環加熱により行う構成であり、それ以上具体的な装置の構成及び加熱方法については特に限定されるものではない。
【００１２】
次に、本発明装置による風呂の保温運転制御の一実施形態ついて、図２を参照して説明する。今、保温運転に先立ち或いは保温運転中に、使用者により或いはその他により設定保温温度値Ｆが新たに設定されると、コントローラ２６はその設定保温温度値Ｆを記憶する。一方、コントローラ２６は、保温運転が行われる場合には（ステップＳ１でイエス）、循環加熱により保温されるべき温度値に達して、一旦保温が完了する都度（ステップＳ２でイエス）、前記風呂温度センサ２４により保温完了時の風呂温度Ａを測定し（ステップＳ３）、更に途中で風呂運転が行われないこと（ステップＳ４でノー）を条件に、前記風呂温度Ａの測定時から一定時間の経過後（ステップＳ５でイエス）に再び浴槽水を循環路２５に循環させて、その時の風呂温度Ｂを測定する（ステップＳ６）。そして次に前記風呂温度Ａと風呂温度Ｂの差、即ち温度低下度合いＤを演算する（ステップＳ７）。
次にコントローラ２６は、前記演算された温度低下度合いＤが、設定保温温度値Ｆの該設定がなされた後に最初に演算された値であるかを判断し（ステップＳ８）、最初の場合（ステップＳ８でイエス）には、その温度低下度合いＤを初期値Ｄ１として記憶する（ステップＳ９）。一方、前記演算された温度低下度合いＤが最初に演算されたものでない場合には（ステップＳ８でノー）、前記温度低下度合いの初期値Ｄ１からその時の温度低下度合いＤを引き（ステップＳ１０）、その差が一定以上か否かを判定する（ステップＳ１１）。そして前記判定でイエスであれば、コントローラ２６は保温されるべき温度値の修正を行い（ステップＳ１２）、修正した後の修正保温温度値Ｆ１をリモコン２７に表示する。
【００１３】
上記のステップＳ４において、風呂運転有りとは、例えば風呂の追い焚きがあったとか或いは人が浴槽に入浴した等、浴槽内の湯に自然な温度低下以外の何らかの変更が加えられた場合をいう。
上記ステップＳ５において、一定時間とは、例えば５分とか１０分等、予め実験により好ましい時間を決めておく。
またステップＳ１１において、Ｄ１とＤとの差が一定以上か否かの場合における一定とは、例えば春、夏、秋、冬における、風呂温度の低下度合いの変化を参考にして、予め実験により一定値を定めておくことができる。
またステップＳ１２における保温されるべき温度値の修正は、変化に対応して、例えばステップＳ１０においてＤ１−Ｄがマイナスになる場合、即ち温度低下度合いが一定以上増加する場合には、それだけ環境温度が下がり、冷めやすくなっていることから、保温されるべき温度値を増加する方向に修正することになる。一方、ステップＳ１０においてＤ１−Ｄがプラスになる場合、即ち温度低下度合いが一定以上減少する場合には、それだけ環境温度が上がり、冷め難くなっていることから、保温されるべき温度値を減少する方向に修正する。更に、何度修正するかについては、一律にするか或いは変化の大きさに対応して増減される温度値とすることができる。それらの温度値は予め実験によって定めておく。
【００１４】
次に図３、図４を参照して、設定保温温度値Ｆ設定後の環境変化に伴って保温されるべき温度値を修正するためのより具体的な方法として、基準保温温度値Ｋを演算するやり方を説明する。
今、保温運転に先立ち或いは保温運転中に、使用者により或いはその他による設定動作により設定保温温度値Ｆが新たに設定されると（ステップＳ２１でイエス）、コントローラ２６はその設定保温温度値Ｆを記憶すると共に、その直ぐ後に行われる保温運転時に（ステップＳ２２でイエス）おいて、保温されるべき温度値に達して、一旦保温運転が完了した時点（ステップＳ２３でイエス）における風呂温度Ａを測定し（ステップＳ２４）、更に途中で風呂運転が無いことを条件に（ステップＳ２５でノー）、風呂温度Ａの測定時から一定時間の経過後（ステップＳ２６でイエス）の風呂温度Ｂを測定する（ステップＳ２７）。そして前記風呂温度Ａと風呂温度Ｂの差、即ち温度低下度合いＤを演算し（ステップＳ２８）、この温度低下度合いＤから、その温度低下度合いＤに対応する調整温度値Ｃを選択する（ステップＳ２９）。そして選択された調整温度値Ｃと先に設定されている設定保温温度値Ｆとから基準保温温度値Ｋを演算する（ステップＳ３０）。
基準保温温度値Ｋの演算は、Ｆ＝Ｋ＋Ｃで行われる。
【００１５】
前記において、調整温度値Ｃの値は予め実験により定めておく。図４を参照して、例えば前記温度低下度合いＤが季節でいう春、秋に相当する一定範囲内にある場合（Ｔ１≦Ｄ≦Ｔ２）には、調整温度値Ｃを０とし、温度低下度合いＤが季節でいう夏に相当する一定範囲内にある場合（Ｄ＜Ｔ１）には、調整温度値Ｃを−２とし、温度低下度合いＤが季節でいう冬に相当する一定範囲内にある場合（Ｔ２＜Ｄ）には、調整温度値Ｃを＋２とする。このように調整温度値Ｃを予め定めておくことで、設定保温温度値Ｆが夏に設定された場合には、その時に測定される温度低下度合いＤの値が通常においてＴ１未満となり、よって調整温度値Ｃが−２となり、基準保温温度値Ｋ＝設定保温温度値Ｆ−調整温度値Ｃ＝Ｆ−（−２）として演算される。同様に春、秋に設定保温温度値Ｆが設定された場合には、その時に測定される温度低下度合いＤの値が通常においてＴ１とＴ２の間となり、よって調整温度値Ｃが０となり、基準保温温度値Ｋ＝Ｆ−（０）で、設定保温温度値Ｆと同じ値に演算される。また設定保温温度値Ｆが冬に設定された場合には、その時に測定される温度低下度合いＤの値が通常においてＴ２を超え、よって調整温度値Ｃが＋２となり、基準保温温度値Ｋ＝設定保温温度値Ｆ−調整温度値Ｃ＝Ｆ−（＋２）として演算される。
以上のように、同じ設定保温温度値Ｆであっても、その値が春夏秋冬等、何時設定されたかによって基準保温温度値Ｋが異なる値となる。
【００１６】
上記のようにして基準保温温度値Ｋが演算され、その後、一旦設定された設定保温温度値Ｆが変更設定されることなく季節等が過ぎると、その時点における温度低下度合いＤが元の値Ｄ１と一定以上変わることとなり、よって調整温度値Ｃとして異なる値が選択される結果、基準保温温度値Ｋと新たな調整温度値Ｃとから修正保温温度値Ｆ１が新たに演算され、その修正保温温度値Ｆ１になるように保温運転が行われるのである。
上記の例において、例えば夏季に設定保温温度値Ｆが３７℃に設定されたとすると、その時の調整温度値Ｃが−２℃となるので、基準保温温度値Ｋは３９℃と演算される。従ってこれが秋になると、調整温度値Ｃは０℃となり、修正保温温度値Ｆ１がＫ＋Ｃ＝３９℃となり、保温温度値は前記３７℃（設定保温温度値Ｆ）から修正保温温度値Ｆ１＝３９℃に修正される。そしてこの修正保温温度値Ｆ１＝３９℃がリモコン２７に表示される。同様に冬になると、調整温度値Ｃが＋２℃となるので、修正保温温度値Ｆ１がＫ＋Ｃ＝３９＋２＝４１℃と演算され、保温温度値は４１℃に修正され、リモコン２７に表示されるのである。
【００１７】
上記において、Ｔ１、Ｔ２の値は、予め実験により適当な温度を、経過させる一定時間との関係で定めておくことができる。勿論、温度低下度合いＤの範囲分けは前記温度Ｔ１、Ｔ２による３区分に限定されない。
また上記においては、調整温度値Ｃとして、−２℃、０℃、＋２℃としたが、これに限定されるものではなく、他の適当な値を採用することができる。
【００１８】
【発明の効果】
本発明は以上の構成、作用よりなり、請求項１に記載の風呂の保温運転装置によれば、浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定すると共に、設定保温温度値Ｆの設定後最初に測定された温度低下度合いＤを初期値Ｄ１とし、温度低下度合いの差｜Ｄ１−Ｄ｜が一定以上になるように温度低下度合いＤが増加した場合には、設定保温温度値Ｆを自動的に増加修正し、温度低下度合いの差｜Ｄ１−Ｄ｜が一定以上になるように温度低下度合いＤが減少した場合には、設定保温温度値Ｆを自動的に減少修正するようにしたコントローラを備えたので、
使用者等が一旦設定保温温度値を設定すれば、その後の季節等の移り変わり等により浴槽水の温度低下の度合いが大きく変化した場合には、その変化に対応して自動的に保温すべき温度値も修正することができ、よって使用者等に対してその都度保温すべき温度値を再設定しなければならないといった煩わしさを与えることなく、自動的に且つ適切に修正された保温されるべき温度値を提供することができる。
しかも設定保温温度値の自動修正は、浴槽水の温度低下度合いの変化、即ち温度低下度合いの差をとらえて行うので、単に暦をもって保温されるべき温度値を変更するものに比べても、よりその浴槽のある場所の環境、即ち緯度経度等や海抜等の地理的環境、その他の環境に即した状態で、保温されるべき温度値の適切な自動修正を行うことができる。
また請求項２に記載の風呂の保温運転装置によれば、浴槽内の水を一旦設定焚き上げ温度まで焚き上げた後において、浴槽温度を所定の温度値に保温するための風呂の保温運転装置であって、設定保温温度値Ｆが新たに設定された後に保温が完了する毎に、途中で風呂運転が行われないことを条件に各保温完了時の風呂温度Ａと一定時間経過後の風呂温度Ｂとの差（Ａ−Ｂ）を温度低下度合いＤとして測定し、一方、各温度低下度合いＤに対応した調整温度値Ｃを予め定めておき、設定保温温度値Ｆの設定後最初に測定された温度低下度合いＤに対応する調整温度値Ｃから前記設定保温温度値Ｆに対する基準保温温度値ＫをＦ＝Ｋ＋Ｃで演算し、該基準保温温度値Ｋをその後の保温温度の修正の基準として、新たに設定保温温度値Ｆが設定されるまでは、前記演算された基準保温温度値Ｋと測定される温度低下度合いＤに対応する調整温度値Ｃとから修正保温温度値Ｆ１をＦ１＝Ｋ＋Ｃで自動的に修正して、その修正保温温度値Ｆ１になるように保温運転を行うようにしたコントローラを備えたので、
設定保温温度値が一旦設定されると、その温度に基づいて基準保温温度値が得られ、その後に季節の移り変わり等により浴槽水の温度低下の度合いがどのように変化しても、対応した調整温度と基準保温温度値とから常にその時の状況に応じた保温されるべき温度値を適切に自動修正して提供することができる。
また請求項３に記載の風呂の保温運転装置によれば、上記請求項１又は２に記載の構成による効果に加えて、設定保温温度値が自動的に修正された場合には、その自動修正による修正保温温度値をリモコンに表示するようにしたので、
よって入浴者等は何時も、現時点において行われている保温運転での保温されるべき温度値をリモコン上の表示で見て知ることができるので、便利である。
【図面の簡単な説明】
【図１】本発明装置の一実施形態を示す風呂の全体構成図である。
【図２】本発明装置の一実施形態による保温温度値修正の例を説明するフローチャートである。
【図３】本発明装置の一実施形態による保温温度値修正のための基準保温温度値の演算の例を説明するフローチャートである。
【図４】本発明装置の一実施形態による基準保温温度値から修正保温温度値を演算する例を説明する図である。
【符号の説明】
１０  浴槽
２０  風呂釜
２１  熱交換器
２２  循環ポンプ
２３  水流スイッチ
２４  風呂温度センサ
２５  循環路
２６  コントローラ
２７  リモコン
【図１】
0003965814.tif 000002
【図２】
0003965814.tif 000003
【図３】
0003965814.tif 000004
【図４】
0003965814.tif 000005